(57)【要約】【課題】遊技者が玉を始動入賞口に入賞させるか転落入賞口に入賞させるか打ち分け可能とする。【解決手段】役物装置１５は、所定の距離を離して形成された左右の入賞口５１ａ，５１ｂと、所定条件の成立に基づいて左右の入賞口５１ａ，５１ｂを開閉する左右の可動羽根５２ａ，５２ｂとを備え、左右の入賞口５１ａ，５１ｂに入賞した玉を転落入賞口と第２始動入賞口５６とに振り分ける回転体５４を回転させることによって、玉を転落入賞口に入賞させるか第２始動入賞口５６に入賞させるかを遊技者が打ち分けることができる。【選択図】図４
2007209398.tif 000002
【特許請求の範囲】
【請求項１】
狙って玉を打ち分けることが可能な距離を離して形成された第１入賞口及び第２入賞口と、
前記第１入賞口に入賞した玉が通過する第１通過位置と前記第２入賞口に入賞した玉が通過する第２通過位置との間で移動し、入賞した玉を第１流路と第２流路とに振り分ける玉振分部と、
を備えることを特徴とする役物装置。
【請求項２】
狙って玉を打ち分けることが可能な距離を離して形成された左右の入賞口と、所定条件の成立に基づいて前記左右の入賞口を開閉する左右の可動羽根と、前記左の入賞口に入賞した玉が通過する第１通過位置と前記右の入賞口に入賞した玉が通過する第２通過位置との間で移動し、入賞した玉を第１流路と第２流路とに振り分ける玉振分部とを備える役物装置と、
前記玉振分部で前記第１流路に振り分けられた玉を検出する第１検出手段と、
前記玉振分部で前記第２流路に振り分けられた玉を検出する第２検出手段と、
前記第２検出手段による玉の検出を始動条件として、第１当選確率か第１当選確率よりも高い第２当選確率かで大当たり抽選を実行する大当たり抽選手段とを備え、
前記大当たり抽選手段は、第２当選確率で大当たり抽選を実行する高確率状態で前記第１検出手段により玉を検出したときには、第１当選確率で大当たり抽選を実行する低確率状態に遷移することを特徴とするパチンコ遊技機。
【請求項３】
前記玉振分部は、前記役物装置内で前記第１通過位置から前記第２通過位置に及ぶ範囲で回転する回転体であって、当該回転体上に放出された玉を前記回転体の中心部に導く前記第１流路である転落孔と、前記回転体の下部に放出する前記第２流路である通過孔とのいずれかに振り分けるように構成されている請求項２記載のパチンコ遊技機。
【発明の詳細な説明】
【技術分野】
【０００１】
本発明は役物装置およびパチンコ遊技機に関し、特に左右の入賞口を備える役物装置およびそれを配設するパチンコ遊技機に関する。
【背景技術】
【０００２】
従来のセブン機とよばれるパチンコ遊技機は、大当たりの抽選、確変大当たりと非確変大当たりとの振分抽選、電動チューリップ（以下、電チューと略記する）の開放抽選、確変状態（通常よりも大当たりの当選確率が高い状態）の転落抽選などが制御装置により行われることが一般的である。セブン機で確変状態になると、大抵は時短状態（普図の変動時間が短くなり、電チューの開放時間が長くなる状態）も同時に発生し、電チューを備えた始動入賞口においては電チューの開放時間が通常よりも長くなる。このため、電チューを備えた始動入賞口に向かって玉を打ち込むことにより、通常よりも始動入賞口への玉の入賞率が高くなり、打ち込み玉に対する払い出し玉の割合も通常より多い状態で遊技できる。
【０００３】
なお、特許文献１には、クルーン役物を備えたパチンコ遊技機について記載されている。このクルーン役物には所定数の通常入賞穴とＶ入賞穴とが設けられており、Ｖ入賞穴に玉が入ると特別の付与価値を発生させるものであり、アウト玉数や時間などによってこのクルーン役物の回転速度や回転軸の傾斜角度を変えることで、Ｖ入賞穴への玉の入賞率を高めることが可能である。しかし、特許文献１には、遊技者の技量により有利な状態を獲得する、あるいは有利な状態を維持するような技術に関しては一切記載されていない。
【特許文献１】特開平８−２４３２２０号公報
【発明の開示】
【発明が解決しようとする課題】
【０００４】
特許文献１に記載されたパチンコ遊技機では、遊技者にしてみると、確変状態は持玉をほぼ維持しながら次の大当たりまで玉を打ち込むだけであり、なんらドキドキするような興趣も無くただ遊技しているに過ぎなかった。このため、もっと楽しい遊技性を備えたセブン機が市場に投入されることが望まれている。
【０００５】
本発明は、そのような事情に鑑みてなされたものであり、左右に離間されて形成された入賞口を左右の可動羽根で開閉自在とする役物装置内に、第１流路と第２流路とを振り分ける玉振分部を移動自在に配設し、左の入賞口から入った玉と右の入賞口から入った玉をそれぞれ異なる位置から役物装置内に放出するようにしたので、遊技者が玉振分部の動作を見てタイミングを計りながら操作することによって、第１流路と第２流路とのいずれかを狙って遊技できるようにした役物装置を提供することを目的とする。
【０００６】
また、本発明は、左右に離間されて形成された入賞口を左右の可動羽根で開閉自在とする役物装置内に、第１流路と第２流路とを振り分ける玉振分部を移動自在に配設し、左の入賞口から入った玉と右の入賞口から入った玉をそれぞれ異なる位置から役物装置内に放出するようにしたので、遊技者が玉振分部の動作を見てタイミングを計りながら操作することによって、有利な状態を維持あるいは獲得できるようにした技術介入性のあるパチンコ遊技機を提供することを目的とする。
【課題を解決するための手段及び発明の効果】
【０００７】
上記課題を解決するために、請求項１記載の役物装置は、狙って玉を打ち分けることが可能な距離を離して形成された第１入賞口及び第２入賞口と、前記第１入賞口に入賞した玉が通過する第１通過位置と前記第２入賞口に入賞した玉が通過する第２通過位置との間で移動し、入賞した玉を第１流路と第２流路とに振り分ける玉振分部と、を備えることを特徴とする。請求項１記載の役物装置によれば、ある程度の距離を離して形成された第１入賞口及び第２入賞口を備える役物装置内で、入賞した玉を第１流路と第２流路とに振り分ける玉振分部を第１通過位置と第２通過位置との間で移動させるようにしたので、遊技者が玉振分部の動作を見てタイミングを計りながら操作することによって、第１流路と第２流路とのいずれかを狙って遊技できるようになる。
【０００８】
請求項２記載のパチンコ遊技機は、狙って玉を打ち分けることが可能な距離を離して形成された左右の入賞口と、所定条件の成立に基づいて前記左右の入賞口を開閉する左右の可動羽根と、前記左の入賞口に入賞した玉が通過する第１通過位置と前記右の入賞口に入賞した玉が通過する第２通過位置との間で移動し、入賞した玉を第１流路と第２流路とに振り分ける玉振分部とを備える役物装置と、前記玉振分部で前記第１流路に振り分けられた玉を検出する第１検出手段と、前記玉振分部で前記第２流路に振り分けられた玉を検出する第２検出手段と、前記第２検出手段による玉の検出を始動条件として、第１当選確率か第１当選確率よりも高い第２当選確率かで大当たり抽選を実行する大当たり抽選手段とを備え、前記大当たり抽選手段は、第２当選確率で大当たり抽選を実行する高確率状態で前記第１検出手段により玉を検出したときには、第１当選確率で大当たり抽選を実行する低確率状態に遷移することを特徴とする。請求項２記載のパチンコ遊技機によれば、ある程度の距離を離して形成された左右の入賞口と、左右の入賞口を開閉する左右の可動羽根とを備える役物装置内で、入賞した玉を第１流路と第２流路とに振り分ける玉振分部を左右に移動させ、第１検出手段により第１流路を玉が通過したことを検出したときには、高確率状態から低確率状態に遷移するようにしたことにより、可動羽根が開放された左右いずれの入賞口を通じて玉を役物装置内に入賞させるかを遊技者が狙って遊技でき、結果として高確率状態で玉を第１流路に振り分けないように遊技者が操作することによって、高確率状態から低確率状態への遷移を遊技者の技量によって回避することが可能になる。このため、遊技者は、高確率状態では、左右いずれの入賞口から玉を入賞させれば第１流路に玉を入れることなく第２流路に玉を打ち込めるのかを考えながら狙い撃ちをすることになるので、技術介入性があり、これまでにない興趣を得ることができる。
【０００９】
請求項３記載のパチンコ遊技機は、請求項２記載のパチンコ遊技機において、前記玉振分部は、前記役物装置内で前記第１通過位置から前記第２通過位置に及ぶ範囲で回転する回転体であって、当該回転体上に放出された玉を前記回転体の中心部に導く前記第１流路である転落孔と、前記回転体の下部に放出する前記第２流路である通過孔とのいずれかに振り分けるように構成されていることを特徴とする。請求項３記載のパチンコ遊技機によれば、玉振分部を役物装置内で回転する回転体としたことにより、回転という比較的簡単な運動で玉振分部を役物装置内で左右に移動させることができる。このため、遊技者は、左右いずれの入賞口から玉を入賞させれば回転体の転落孔に玉を入れることなく通過孔に玉を打ち込めるのかを考えながら遊技することができる。
【発明を実施するための最良の形態】
【００１０】
技術介入性があり、これまでにない興趣を遊技者に与えるという目的を、左右に離間されて形成された入賞口を左右の可動羽根で開閉自在とするようにした役物装置内に、左の入賞口に入賞した玉が通過する第１通過位置と右の入賞口に入賞した玉が通過する第２通過位置との間で移動し、入賞した玉を第１流路と第２流路とに振り分ける玉振分部を設け、遊技者が玉振分部の動作を見てタイミングを計りながら操作することによって、第１流路と第２流路とのいずれかを狙って遊技できるようにすることにより達成した。
【００１１】
以下、本発明のパチンコ遊技機の実施の形態について、図面を参照して説明する。
【実施例１】
【００１２】
図１は、本発明の実施例１に係るパチンコ遊技機１を示す正面模式図である。本実施例１に係るパチンコ遊技機１は、台枠に取り付けられた透明ガラス板でなる前面扉２と、台枠の内側に配置されて前面扉２によって覆われる遊技盤３と、遊技盤３の左右の斜め下方に配設された左右のスピーカ４ａ，４ｂと、遊技盤３の下方に設けられた玉供給皿５と、玉供給皿５の右方（図１で見て）に設けられた、玉の発射装置１１０（図１４参照）を操作するハンドル６とを含んで構成されている。なお、図１中、符号１０６は、ランプ類（図１４参照）を示す。
【００１３】
遊技盤３は、図２に示すように、遊技盤３のほぼ中央位置に配設された液晶表示装置１０と、液晶表示装置１０の左方（図２で見て）に設けられた通過ゲート１１と、液晶表示装置１０の下方に設けられた第１始動入賞口１２と、第１始動入賞口１２の下方に設けられた大入賞装置１３と、大入賞装置１３の下方に設けられた玉排出口１４と、液晶表示装置１０の上方に設けられた役物装置１５と、液晶表示装置１０の左方（図２で見て）に設けられた普図表示部１６と、液晶表示装置１０の右方（図２で見て）に設けられた特図表示部１８とを含んで構成されている。
【００１４】
液晶表示装置１０は、特図表示部１８の特図（特別図柄）の変動動作に合わせて、３列のアラビア数字等のキャラクタでなるダミー図柄を変動表示する。特図抽選が当たりのときは、液晶表示装置１０は、各列で同じ数字を停止表示する。また、液晶表示装置１０は、大当たり中は、大当たり専用の画面に切り替え、現在のラウンド数を表示する。液晶表示装置１０の大当たり図柄は、確変大当たり図柄が「１１１」，「３３３」，「５５５」，「７７７」のゾロ目、非確変大当たり図柄が「２２２」，「４４４」，「６６６」のゾロ目である。また、大当たり図柄の振分率は、確変大当たり図柄が８０％、非確変大当たり図柄が２０％である。
【００１５】
通過ゲート１１は、賞球がないゲートであり、通過ゲート１１に玉を通過させると、ゲート通過検知処理（図１５参照）が開始されるようになっている。
【００１６】
第１始動入賞口１２は、いわゆるスタートと呼ばれる入賞口であり、第１始動入賞口１２に玉が入賞すると、始動入賞検知処理（図１８参照）が開始されるようになっている。
【００１７】
大入賞装置１３は、いわゆるアタッカーと呼ばれる可変入賞口であり、開口部と蓋部材とから構成され、蓋部材が移動することにより開口部の閉鎖状態と開放状態とを呈する。
【００１８】
役物装置１５は、図３〜図６に示すように、上部が下部に比べてやや幅狭となった前面開放四角箱体状の役物筐体５１と、役物筐体５１の左右側壁の上端部寄りに穿設された左右の可動羽根入賞口５１ａ，５１ｂと、可動羽根入賞口５１ａ，５１ｂを開閉する可動羽根５２ａ，５２ｂと、可動羽根５２ａ，５２ｂの開放時に可動羽根入賞口５１ａ，５１ｂから入賞した玉を誘導する左右の玉誘導部５３ａ，５３ｂと、役物筐体５１内に回転自在に配設された回転体５４と、役物筐体５１内の床５１ｃの前側寄りに穿設された前方玉通路５５と、前方玉通路５５の終端寄りの第２始動入賞口５６に配設された第２始動入賞検出器１１３（図１４参照）と、役物筐体５１内の後方側に穿設された転落玉通路５７と、転落玉通路５７に配設された転落入賞検出器５８と、回転体５４を回転駆動するモータ６０とを含んで構成されている。
【００１９】
可動羽根入賞口５１ａ，５１ｂは、左右の可動羽根５２ａ，５２ｂを開閉自在に有する、いわゆる電チューと呼ばれる可変入賞口でなる。図３に示すように、可動羽根５２ａ，５２ｂの閉鎖時には、可動羽根５２ａ，５２ｂが可動羽根入賞口５１ａ，５１ｂを塞ぎ、玉が入賞しないようになっている。また、図４に示すように、可動羽根５２ａ，５２ｂの開放時には、可動羽根５２ａ，５２ｂを伝わり、あるいは伝わることなしに可動羽根入賞口５１ａ，５１ｂから玉が入賞するようになっている。
【００２０】
右の玉誘導部５３ｂは、図７に拡大して示すように、左面壁および後面壁が起立し、底面壁が奥に行くに従って陥没してついには透孔５３ｂ１となるように形成されており、透孔５３ｂ１の位置が回転体５４の右端寄り中央の上位位置に対応するように配設されている。このため、可動羽根５２ｂが開いた可動羽根入賞口５１ｂから入賞した玉が玉誘導部５３ｂの奥に導かれて透孔５３ｂ１から落下するようになっている。なお、左の玉誘導部５３ａについても、左右が反転するだけで、右の玉誘導部５３ｂと同様に形成されて、同様に配置されている。透孔５３ｂ１に対応する透孔を、透孔５３ａ１とする。
【００２１】
回転体５４は、図８〜図１１に示すように、大径の円盤部５４ａと、円盤部５４ａの下面中央部から下方に延出する小径の軸部５４ｂとから構成されている。円盤部５４ａの上面外周部には、玉のこぼれを防止するための円周壁５４ｃが突設されており、円周壁５４ｃにより一段窪んでいる部分には、９つの通過孔５４ｄと１つの転落孔５４ｅとが等間隔に円を描くように穿設されている。９つの通過孔５４ｄは、上下に通じた貫通孔であり、通過孔５４ｄを通過した玉は、役物装置１５内の床５１ｃに落下するようになっている。役物装置１５内の床５１ｃは遊技者側に玉が転がるように傾斜している。このため、役物装置１５内の床５１ｃに落下した玉は、前方に転がり、前方玉通路５５を通って第２始動入賞口５６に至り、第２始動入賞検出器１１３で検出される。第２始動入賞検出器１１３により玉の通過が検知されると、始動入賞検知処理（図１８参照）が開始されるようになっている。また、１つの転落孔５４ｅは、中心に向かって溝が掘られており、その溝は回転体５４の軸部５４ｂの中心孔を通って転落玉通路５７に連通可能になっている。転落孔５４ｅに入った玉は、溝に沿って転がり、軸部５４ｂの中心孔に一旦滞留し、回転体５４の回転によって中心孔の下端開口と転落玉通路５７とが一致したときに転落玉通路５７に流れ込み、転落入賞検出器５８により検出される。転落入賞検出器５８により玉の通過が検出されると、確変転落処理（図２２参照）が開始されるようになっている。
【００２２】
軸部５４ｂの下端部には、ギア５４ｆが刻設または取り付けられており、ギア５４ｆにモータ６０の出力軸に取り付けられた出力ギア６０ａが噛合されている。このため、モータ６０に通電して出力ギア６０ａを回転させると、ギア５４ｆを介して回転体５４が回転するようになっている。本実施例１では、回転体５４は、モータ６０の回転駆動により常に一定の速度で一方向に回転し続けているものとする。
【００２３】
なお、役物装置１５の構造は、図３〜図１１に例示したものに限定されるものではなく、種々の構造のものを採用することが可能である。
【００２４】
図１２を参照すると、普図表示部１６は、１つの普図変動ＬＥＤ（Light Emitting Diode）１７と、２つの普図保留ＬＥＤｐ１，ｐ２とから構成されている。普図変動ＬＥＤ１７は、主回路１２０（図１４参照）から直接制御されて、普図の変動を表示する。詳しくは、普図の変動動作を開始すると、普図変動ＬＥＤ１７は、緑色と橙色とを切り換えながら点滅し、所定の変動時間の経過後、当たりのときは緑色で点灯し、ハズレのときは橙色で点灯する。普図保留ＬＥＤｐ１，ｐ２は、主回路１２０から直接制御されて、普図抽選結果の保留数を表示する。詳しくは、普図抽選結果の保留および読出が発生する毎に、普図保留ＬＥＤｐ１，ｐ２は、下記の表１に基づいて橙色に点灯あるいは点滅する。
【００２５】
【表１】
2007209398.tif 000003
【００２６】
特図表示部１８は、図１３（ａ）に示すように、いわゆる７セグメントの数字表示器１９と、２つの特図保留ＬＥＤｑ１，ｑ２とから構成されている。特図表示部１８の図柄変動のタイミングは、液晶表示装置１０の特図の図柄変動の変動開始および変動停止のタイミングと一致する。数字表示器１９は、主回路１２０から直接制御されて、７セグメントを点滅することで、特図の変動動作中であることを示す。所定の特図の変動時間の経過後、数字表示器１９は、特図抽選結果を表示する。すなわち、ハズレのときは、図１３（ｂ）に示すように、真ん中の横棒のみを表示し、当たりのときは、図１３（ｃ）に示すように、数字を表示する。特図保留ＬＥＤｑ１，ｑ２は、主回路１２０から直接制御されて、特図抽選結果の保留数を表示する。詳しくは、特図抽選結果の保留および読出が発生する毎に、特図保留ＬＥＤｑ１，ｑ２は、下記の表２に基づいて橙色に点灯あるいは点滅する。
【００２７】
【表２】
2007209398.tif 000004
【００２８】
図１４を参照すると、パチンコ遊技機１は、主制御基板１００と、普図表示部１６と、特図表示部１８と、液晶表示装置１０を制御する表示制御基板１０１と、スピーカ４ａ，４ｂを含むアンプ／スピーカ１０４を制御する音声制御基板１０３と、ランプ類１０６を制御するランプ制御基板１０５と、払出装置１０８を制御する払出制御基板１０７と、発射装置１１０を制御する発射制御基板１０９と、通過ゲート１１に併設されたゲート通過検出器１１１と、第１始動入賞口１２に併設された第１始動入賞検出器１１２と、第２始動入賞口５６に併設された第２始動入賞検出器１１３と、役物装置１５の転落入賞口５７に併設された転落入賞検出器５８と、大入賞装置１３に併設された大入賞検出器１１４と、可動羽根５２ａ，５２ｂを開閉する電チューソレノイド１１６と、大入賞装置１３を開閉する大入賞ソレノイド１１７と、回転体５４を回転駆動するモータ６０と、各基板に所定電圧を供給する電源回路部１１９とを含んで構成されている。
【００２９】
主制御基板１００は、主回路１２０を搭載しており、主回路１２０は、ＣＰＵ（Central Processing Unit）１２１，プログラム格納用のＲＯＭ（Read Only Memory）１２２，ワークエリアや各種カウンタ等が割り当てられるＲＡＭ（Random Access Memory）１２３，Ｉ／Ｏ（Input/Output）１２４等を備える。
【００３０】
なお、その他の各基板も、個別にＣＰＵやメモリを備える構成が一般的であるが、図１４では省略している。
【００３１】
表示制御基板１０１は、主回路１２０より入力される表示制御信号に応じて、液晶表示装置１０に画像を表示させるための処理を実行する。音声制御基板１０３は、入力される音声制御信号に応じてスピーカ４ａ，４ｂを含むアンプ／スピーカ１０４より音声を出力させる。ランプ制御基板１０５は、入力されるランプ制御信号に応じてランプ類１０６の点灯／消灯を制御する。払出制御基板１０７は、入力される賞球払出信号に応じて払出装置１０８を制御する。これにより、遊技者に対して所定数の賞球が払い出される。発射制御基板１０９は、遊技者がハンドル６を操作することに応じて、該ハンドル６に対応して設けられた発射装置１１０を作動させる。ハンドル６の操作量に応じて、玉の打出し強さ（玉の飛距離）を調節することが可能となっている。
【００３２】
図１５は、本実施例１に係るパチンコ遊技機１におけるゲート通過検知処理を示すフローチャートである。ゲート通過検知処理では、主回路１２０は、通過ゲート１１での玉の通過を契機として、普図用の乱数カウンタから値を抽出する普図の内部抽選を行い、抽出値を普図抽選結果としてＲＡＭ１２３上の普図用保留記憶領域（図示せず）に最大保留数４まで保留する。
【００３３】
図１６は、本実施例１に係るパチンコ遊技機１における普図保留読出処理を示すフローチャートである。普図保留読出処理では、主回路１２０は、ＲＡＭ１２３上の普図用保留記憶領域から最古の普図抽選結果を読み出し、普図変動処理（図１７参照）を開始する。
【００３４】
図１７は、本実施例１に係るパチンコ遊技機１における普図変動処理を示すフローチャートである。普図変動処理では、主回路１２０は、普図抽選結果が当たりであるかどうかを判定し、当たりであるときに役物装置１５の可動羽根５２ａ，５２ｂを開閉動作させる。
【００３５】
図１８は、本実施例１に係るパチンコ遊技機１における始動入賞検知処理を示すフローチャートである。始動入賞検知処理では、主回路１２０は、第１始動入賞検出器１１２および第２始動入賞検出器１１３からの玉の入賞検出信号が入力されたタイミングに応じて、特図用の通常時用乱数カウンタまたは確変時用乱数カウンタから値を抽出する特図の内部抽選を行い、抽出値を特図抽選結果としてＲＡＭ１２３上の特図用保留記憶領域（図示せず）に最大保留数４まで記憶して保留する。
【００３６】
図１９は、本実施例１に係るパチンコ遊技機１における特図保留読出処理を示すフローチャートである。特図保留読出処理では、主回路１２０は、ＲＡＭ１２３上の特図用保留記憶領域から最古の特図抽選結果を読み出し、特図変動処理（図２０参照）を開始する。
【００３７】
図２０は、本実施例１に係るパチンコ遊技機１における特図変動処理を示すフローチャートである。特図変動処理では、主回路１２０は、特図抽選結果が当たりであるかどうかを判定し、当たりであれば特図表示部１８および液晶表示装置１０において大当たり図柄を停止表示し、当たりでなければ特図表示部１８および液晶表示装置１０においてハズレ図柄を停止表示する。
【００３８】
図２１は、本実施例１に係るパチンコ遊技機１における大当たり処理を示すフローチャートである。大当たり処理では、主回路１２０は、大入賞装置１３を開放し、１０個入賞または２５秒経過で閉鎖する処理を１ラウンドとして、１５ラウンド継続する処理を行う。
【００３９】
図２２は、本実施例１に係るパチンコ遊技機１における確変転落処理を示すフローチャートである。確変転落処理では、主回路１２０は、転落入賞を検知すると、所定数の賞球の払出を指示した後に、確変フラグがＯＮであれば、確変フラグをＯＦＦする。
【００４０】
なお、本実施例１に係るパチンコ遊技機１では、時短の継続回数は、確変大当たり終了後は確変状態が転落するまで、非確変大当たり終了後は図柄変動が１００回終了するまでである。ただし、いずれの場合も、時短の継続中に次の大当たりが発生したならば終了する。
【００４１】
次に、このように構成された実施例１に係るパチンコ遊技機１の動作について、図１ないし図２２を参照しながら説明する。
【００４２】
パチンコ遊技機１への電源投入後、玉供給皿５に準備された玉は、ハンドル６を含んで構成される発射装置１１０によって遊技盤３に向けて発射される。遊技盤３に達した玉は、遊技盤３の盤面上を流下する。
【００４３】
遊技盤３の盤面上を流下する玉が通過ゲート１１を通過すると、これをゲート通過検出器１１１が検出して、通過検出信号が主回路１２０に送信される。
【００４４】
ゲート通過検知処理では、主回路１２０は、通過検出信号により通過ゲート１１の玉の通過を検知しており（図１５のＳ１０１）、玉が通過しない場合には（図１５のＳ１０１：ＮＯ）、ゲート通過検知処理を終了する。
【００４５】
通過検知信号により通過ゲート１１を玉が通過したことが検知されると（図１５のＳ１０１：ＹＥＳ）、主回路１２０は、ＲＡＭ１２３上の普図用保留記憶領域に保留されている普図抽選結果の保留数が最大保留数４であるかどうかを判定する（図１５のＳ１０２）。普図抽選結果の保留数が最大保留数４であれば（図１５のＳ１０２：ＹＥＳ）、主回路１２０は、ゲート通過検知処理を終了する。すなわち、最大保留数４を越える普図抽選結果は保留することなしに破棄される。
【００４６】
普図抽選結果の保留数が最大保留数４でなければ（図１５のＳ１０２：ＮＯ）、主回路１２０は、普図用の乱数カウンタから値を抽出する普図の内部抽選を行い（図１５のＳ１０３）、抽出値を普図抽選結果としてＲＡＭ１２３上の普図用保留記憶領域に記憶して保留し（図１５のＳ１０４）、ゲート通過検知処理を終了する。
【００４７】
次に、普図保留読出処理では、主回路１２０は、ＲＡＭ１２３上の普図用保留記憶領域に普図抽選結果の保留があるかどうかを判定し（図１６のＳ２０１）、ＲＡＭ１２３上の普図用保留記憶領域に普図抽選結果の保留がなければ（図１６のＳ２０１：ＮＯ）、普図保留読出処理を終了する。
【００４８】
ＲＡＭ１２３上の普図用保留記憶領域に普図抽選結果の保留があれば（図１６のＳ２０１：ＹＥＳ）、主回路１２０は、普図表示部１６において先の普図の変動表示中であるかどうかを判定する（図１６のＳ２０２）。
【００４９】
先の普図の変動表示中であれば（図１６のＳ２０２：ＹＥＳ）、主回路１２０は、普図保留読出処理を終了する。
【００５０】
先の普図の変動表示中でなければ（図１６のＳ２０２：ＮＯ）、主回路１２０は、ＲＡＭ１２３上の普図用保留記憶領域に保留されている最古の普図抽選結果を読み出し（図１６のＳ２０３）、普図変動処理（図１７参照）を開始する（図１６のＳ２０４）。
【００５１】
普図変動処理では、主回路１２０は、普図保留読出処理で読み出した最古の普図抽選結果を普図用判定テーブルと照合して当たり／ハズレの判定を行う（図１７のＳ３０１）。例えば、普図の当たり確率は、１２７／１２８とすることができる。
【００５２】
次に、主回路１２０は、確変中または時短中であるかそうでないかに応じて普図の変動時間および停止図柄を決定する（図１７のＳ３０２）。例えば、普図の変動時間は、確変中または時短中であれば１秒、確変中でも時短中でもなければ３０秒と決定する。また、停止図柄は、当たりのときは普図変動ＬＥＤ１７の緑色点灯、ハズレのときは普図変動ＬＥＤ１７の橙色点と決定する。
【００５３】
続いて、主回路１２０は、普図表示部１６の普図変動ＬＥＤ１７で普図の変動を開始するとともに普図変動タイマ（図示せず）のカウントを開始する（図１７のＳ３０３）。
【００５４】
次に、主回路１２０は、普図変動タイマを参照して普図変動時間が経過したかどうかを判定し（図１７のＳ３０４）、普図変動時間が経過するまで待機する。
【００５５】
普図変動時間が経過すると（図１７のＳ３０４：ＹＥＳ）、主回路１２０は、普図変動ＬＥＤ１７による普図の変動を停止する（図１７のＳ３０５）。
【００５６】
次に、主回路１２０は、停止図柄が当たり図柄であるかどうかを判定し（図１７のＳ３０６）、停止図柄が当たり図柄でなければ（図１７のＳ３０６：ＮＯ）、普図変動処理を終了する。
【００５７】
停止図柄が当たり図柄であれば（図１７のＳ３０６：ＹＥＳ）、主回路１２０は、電チュー、すなわち役物装置１５の可動羽根５２ａ，５２ｂの開放時間を決定する（図１７のＳ３０７）。例えば、役物装置１５の可動羽根５２ａ，５２ｂの開放時間は、通常時および大当たり中には０．５秒、確変中および時短中には１．８秒×３回に決定される。
【００５８】
次に、主回路１２０は、電チューソレノイド１１６を制御することにより、電チュー、すなわち役物装置１５の可動羽根５２ａ，５２ｂを開放する（図１７のＳ３０８）。これにより、遊技盤３の盤面上を流下する玉が、開放された可動羽根５２ａ，５２ｂを伝わり、あるいは伝わることなしに可動羽根入賞口５１ａ，５１ｂから役物装置１５内に入賞できるようになる。
【００５９】
玉が可動羽根５２ａ，５２ｂを伝わり、あるいは伝わることなしに可動羽根入賞口５１ａ，５１ｂから役物装置１５内に入賞すると、玉誘導部５３ａ，５３ｂにより奥に導かれて透孔５３ａ１，５３ｂ１から回転体５４の円盤部５４ａ上に落下する。円盤部５４ａ上に落下した玉は円盤部５４ａ上で通過孔５４ｄを通過するか転落孔５４ｅを通過するかの何れかに振り分けられる。
【００６０】
円盤部５４ａ上で通過孔５４ｄに振り分けられた玉は、通過孔５４ｄを通過して役物装置１５内の床５１ｃに落下し、役物装置１５内の床５１ｃに落ちた玉は、遊技者側に転がって前方玉通路５５へ入り、向かって右側に用意された第２始動入賞口５６へ導かれ、第２始動入賞検出器１１３により玉の入賞が検知される。玉の入賞を検知した第２始動入賞検出器１１３は、入賞検知信号を主回路１２０に送信する。
【００６１】
主回路１２０は、役物装置１５の可動羽根５２ａ，５２ｂの開放時間が経過したかどうかを判定し（図１７のＳ３０９）、開放時間が経過するまで待機する。
【００６２】
役物装置１５の可動羽根５２ａ，５２ｂの開放時間が経過すると（図１７のＳ３０９：ＹＥＳ）、主回路１２０は、電チューソレノイド１１６を非励磁とすることにより可動羽根５２ａ，５２ｂを閉鎖し（図１７のＳ３１０）、普図変動処理を終了する。これにより、遊技盤３の盤面上を流下する玉が、閉鎖された可動羽根５２ａ，５２ｂによってブロックされて可動羽根入賞口５１ａ，５１ｂから役物装置１５内に入賞できなくなる。
【００６３】
また、役物装置１５内には入賞しなかったが、遊技盤３の盤面上をさらに流下して第１始動入賞口１２に入賞した玉は、第１始動入賞検出器１１２により玉の入賞が検知される。玉の入賞を検知した第１始動入賞検出器１１２は、入賞検知信号を主回路１２０に送信する。
【００６４】
始動入賞検知処理では、主回路１２０は、入賞検出信号により第１始動入賞口１２または第２始動入賞口５６での玉の通過を検知し（図１８のＳ４０１）、玉の通過が検知されない場合には（図１８のＳ４０１：ＮＯ）、直ちに始動入賞検知処理を終了する。
【００６５】
第１始動入賞口１２または第２始動入賞口５６への玉の入賞に伴い、第１始動入賞検出器１１２または第２始動入賞検出器１１３から入賞検出信号が主回路１２０に送信されてくると（図１８のＳ４０１：ＹＥＳ）、主回路１２０は、ＲＡＭ１２３上の特図用保留記憶領域に保留されている特図抽選結果の保留数が最大保留数４であるかどうかを判定する（図１８のＳ４０２）。特図抽選結果の保留数が最大保留数４であれば（図１８のＳ４０３：ＹＥＳ）、主回路１２０は、所定数の賞球の払出を払出制御基板１０７を通じて払出装置１０８に指示して（図１８のＳ４０５）、始動入賞検知処理を終了する。これにより、払出装置１０８から所定数の賞球が払い出される。
【００６６】
特図抽選結果の保留数が最大保留数４でなければ（図１８のＳ４０３：ＮＯ）、主回路１２０は、特図用の乱数カウンタから値を抽出して特図の内部抽選を行い（図１８のＳ４０３）、抽出値を特図抽選結果としてＲＡＭ１２３上の特図用保留記憶領域に記憶して保留する（図１８のＳ４０４）。この後、主回路１２０は、所定数の賞球の払出を払出制御基板１０７を通じて払出装置１０８に指示して（図１８のＳ４０５）、始動入賞検知処理を終了する。これにより、払出装置１０８から所定数の賞球が払い出される。
【００６７】
次に、特図保留読出処理では、主回路１２０は、ＲＡＭ１２３上の特図用保留記憶領域に特図抽選結果の保留があるかどうかを判定し（図１９のＳ５０１）、ＲＡＭ１２３上の特図用保留記憶領域に特図抽選結果の保留がなければ（図１９のＳ５０１：ＮＯ）、特図保留読出処理を終了する。
【００６８】
ＲＡＭ１２３上の特図用保留記憶領域に特図抽選結果の保留があれば（図１９のＳ５０１：ＹＥＳ）、主回路１２０は、特図表示部１８および液晶表示装置１０において先の特図の変動表示中であるかどうかを判定する（図１９のＳ５０２）。先の特図の変動表示中であれば（図１９のＳ５０２：ＹＥＳ）、主回路１２０は、特図保留読出処理を終了する。
【００６９】
先の特図の変動表示中でなければ（図１９のＳ５０２：ＮＯ）、主回路１２０は、大当たりフラグがＯＮであるかどうかに基づいて大当たり中であるかどうかを判定する（図１９のＳ５０３）。大当たり中であれば（図１９のＳ５０３：ＹＥＳ）、主回路１２０は、特図保留読出処理を終了する。
【００７０】
大当たり中でなければ（図１９のＳ５０３：ＮＯ）、主回路１２０は、ＲＡＭ１２３上の特図用保留記憶領域から最古の特図抽選結果を読み出し（図１９のＳ５０４）、特図変動処理を開始する。
【００７１】
特図変動処理では、主回路１２０は、特図保留読出処理で読み出された特図抽選結果を大当たり判定用テーブルと照合して当たり／ハズレの判定を行う（図２０のＳ６０１）。例えば、特図の大当たり確率は、通常時は１／３５０、確変時は１／３５とすることができる。
【００７２】
次に、主回路１２０は、当たりの判定結果（抽選結果）に基づいて特図の変動時間，表示する演出内容（キャラクタ表示やリーチ演出の有無など），および停止図柄を決定する（図２０のＳ６０２）。
【００７３】
続いて、主回路１２０は、特図表示部１８および液晶表示装置１０において特図の図柄変動を開始するとともに、特図変動タイマ（図示せず）のカウントを開始する（図２０のＳ６０３）。
【００７４】
次に、主回路１２０は、特図変動時間が経過したかどうかを判定し（図２０のＳ６０４）、特図変動時間が経過するまで待機する。
【００７５】
特図変動時間が経過すると（図２０のＳ６０４：ＹＥＳ）、主回路１２０は、特図表示部１８および液晶表示装置１０において特図の変動を停止する（図２０のＳ６０５）。詳しくは、特図抽選結果が大当たりのときは、特図表示部１８に大当たり図柄が表示され、大当たり状態となる。このとき、液晶表示装置１０にも、大当たり図柄（「７７７」などのゾロ目）が表示される。特図抽選結果がハズレのときは、特図表示部１８にも液晶表示装置１０にもハズレ図柄が表示される。
【００７６】
次に、主回路１２０は、停止図柄が大当たり図柄であるかどうかを判定する（図２０のＳ６０６）。
【００７７】
停止図柄が大当たり図柄でなければ（図２０のＳ６０６：ＮＯ）、主回路１２０は、特図変動処理を終了する。
【００７８】
停止図柄が大当たり図柄であれば（図２０のＳ６０６：ＹＥＳ）、主回路１２０は、大当たりフラグをＯＮし（図２０のＳ６０７）、停止図柄が確変大当たり図柄であるかどうかを判定する（図２０のＳ６０８）。
【００７９】
停止図柄が確変大当たり図柄であれば（図２０のＳ６０６：ＹＥＳ）、主回路１２０は、確変フラグがＯＦＦであるかどうかを判定し（図２０のＳ６０９）、確変フラグがＯＦＦであれば（図２０のＳ６０９：ＹＥＳ）、確変フラグをＯＮして（図２０のＳ６１０）、特図変動処理を終了し、確変フラグがＯＦＦでなければ（図２０のＳ６０９：ＮＯ）、そのまま特図変動処理を終了する。確変フラグがＯＮになると、高確率で大当たり処理（図２１参照）を行う確変状態となる。
【００８０】
停止図柄が確変大当たり図柄でなければ（図２０のＳ６０６：ＮＯ）、主回路１２０は、確変フラグがＯＮであるかどうかを判定し（図２０のＳ６１１）、確変フラグがＯＮであれば（図２０のＳ６１１：ＹＥＳ）、確変フラグをＯＦＦして（図２０のＳ６１２）、特図変動処理を終了し、確変フラグがＯＮでなければ（図２０のＳ６１１：ＮＯ）、そのまま特図変動処理を終了する。確変フラグがＯＦＦになると、確変状態から低確率で大当たり処理（図２１参照）を行う通常状態に転落する。
【００８１】
次に、大当たり処理では、主回路１２０は、大当たりフラグがＯＮであるかどうかに基づいて大当たり中であるかどうかを判定し（図２１のＳ７０１）、大当たり中でなければ（図２１のＳ７０１：ＮＯ）、大当たり処理を終了する。
【００８２】
大当たり中であれば（図２１のＳ７０１：ＹＥＳ）、主回路１２０は、１回の大当たりで大入賞装置１３を１５回まで開放させるために、ラウンド数が１５でないかどうかを判定する（図２１のＳ７０２）。
【００８３】
ラウンド数が１５でなければ（図２１のＳ７０２：ＹＥＳ）、主回路１２０は、ラウンド数に１を加算し（図２１のＳ７０３）、大入賞ソレノイド１１５を励磁することにより、大入賞装置１３を開放する（図２１のＳ７０４）。これにより、大入賞装置１３への玉の入賞が可能になる。
【００８４】
大入賞装置１３へ玉が１０個入賞するか（図２１のＳ７０５：ＹＥＳ）、大入賞装置１３が開放してから２５秒が経過するか（図２１のＳ７０６：ＹＥＳ）のいずれかが満たされると、主回路１２０は、大入賞ソレノイド１１５を非励磁とすることにより、大入賞装置１３を閉鎖し（図２１のＳ７０７）、大当たり処理を終了する。これにより、大入賞装置１３への玉の入賞ができなくなる。
【００８５】
この後、大当たりフラグがまだＯＮであるため（図２１のＳ７０１：ＹＥＳ）、主回路１２０は、大入賞装置１３の開閉（Ｓ７０１〜Ｓ７０７）を繰り返す。
【００８６】
そして、ラウンド数が１５になると（図２１のＳ７０２：ＮＯ）、主回路１２０は、ラウンド数を初期値０にリセットして（図２１のＳ７０８）、大当たりフラグをＯＦＦにし（図２１のＳ７０９）、大当たり処理を終了する。
【００８７】
なお、非確変大当たり図柄での大当たりであった場合、大当たり処理の終了後は時短状態になり、特図の図柄変動が１００回行われると時短状態は終了する。
【００８８】
他方、役物装置１５内に入賞後、回転体５４の円盤部５４ａの転落孔５４ｅに振り分けられた玉は溝に沿って円盤部５４ａの中央に向かって転がり、軸部５４ｂの中央孔を通って下方に導かれ、一時的にそこで滞留した後、中央孔の下端開口と転落入賞口５７とが一致する回転体５４の回転位置で転落入賞口５７に流れ込み、転落入賞検出器５８により玉の通過が検知される。転落入賞検出器５８で玉の通過が検出されると、転落入賞検出器５８は、転落入賞信号を主回路１２０に送信する。
【００８９】
確変転落処理では、主回路１２０は、転落入賞検出器５８からの転落入賞信号に基づいて転落入賞を検知しており（図２２のＳ８０１）、検知できなければ（図２２のＳ８０１：ＮＯ）、転落入賞を検知できるまで待機する。
【００９０】
転落入賞信号に基づいて転落入賞を検知すると（図２２のＳ８０１：ＹＥＳ）、主回路１２０は、所定数の賞球の払出を払出制御基板１０７を通じて払出装置１０８に指示する（図２２のＳ８０２）。これにより、払出装置１０８から所定数の賞球が払い出される。
【００９１】
次に、主回路１２０は、確変フラグがＯＮであるかどうかを判定し（図２２のＳ８０３）、確変フラグがＯＮであれば（図２２のＳ８０３：ＹＥＳ）、確変フラグをＯＦＦにして（図２２のＳ８０４）、確変転落処理を終了し、確変フラグがＯＮでなければ（図２２のＳ８０３：ＮＯ）、そのまま確変転落処理を終了する。確変フラグがＯＦＦになると、低確率で大当たり処理（図２１参照）を行う通常状態となる。
【００９２】
実施例１によれば、確変中は、役物装置１５の可動羽根５２ａ，５２ｂの開放時間が通常状態よりもずっと長くなるように設計されているので、遊技者は役物装置１５の第２始動入賞口５６へ玉を入賞させようと遊技することになるが、転落孔５４ｅに玉が入ってしまうと確変状態が終了してしまうため、回転体５４の動き（転落孔５４ｅの位置）を確認しながら、役物装置１５の左右の可動羽根５２ａ，５２ｂのいずれから玉を入賞させるか、ハンドル６により発射装置１１０を調整しつつ遊技することになる。転落孔５４ｅに玉が入らないように上手に遊技することで、次回の大当たりが発生するまで確変状態を維持することが可能になる。また、仮に転落孔５４ｅに玉が入ってしまうことで確変状態が終了してしまったとしても、遊技者自身の技量で確変状態が終了してしまったのであるから、遊技者は主制御回路１２０（ＣＰＵ１２１）の転落抽選による転落と比べると納得して遊技することができる。このように、遊技者の技量により遊技条件が有利になる、あるいは有利な状態が継続できるような技術介入性のあるパチンコ遊技機を遊技者に提供することができる。よって、遊技者には従来と異なる興趣を与えることができ、また、遊技者自身の技量によって結果に差が出るので遊技者の遊技に対する参加意欲を高めることができる。
【００９３】
なお、実施例１では、回転体５４の回転速度は常に一定としていたが、特定の図柄で大当たりしたときは、その大当たり終了後は回転体５４の回転速度を遅くして転落孔５４ｅに入らないように狙い撃ちしやすくしたり、あるいは回転体５４の回転速度を早くすることで狙い撃ちしづらくしたりするようにしてもよい。
【００９４】
また、実施例１では、確変中や時短中に所定の図柄が揃ったり、あるいは何か他の条件が成立したりすることによって、回転体５４が暫くの間、その回転を停止するようにしてもよい。このようにすれば、回転体５４が停止している間は、遊技者は転落孔５４ｅに入らないように役物装置１５の可動羽根５２ａ，５２ｂのいずれかを狙い撃ちして遊技しやすくなる。
【実施例２】
【００９５】
ところで、実施例１では、役物装置１５内に回転体５４を備え、回転体５４上で玉の転落入賞か否かを振り分けるようにしたが、回転体５４ではなく、役物装置１５内を左右に移動する移動体によって転落入賞か否かを振り分けるようにしてもよい。
【００９６】
図２３は、回転体５４ではなく、役物装置１５内を左右に移動する移動式転落入賞筒７４を設けるようにした本発明の実施例２に係る役物装置１５の構成を示す斜視図である。本実施例２に係る役物装置１５は、役物筐体５１の床５１ｃに穿設された溝５１ｃ１に沿って左右に移動し、上位より落下してきた玉を受け入れると、後方へ放出する移動式転落入賞筒７４と、奥の方を頂点に手前と奥へ傾斜している床５１ｃと、移動式転落入賞筒７４より後方へ放出された玉が床５１ｃの奥の傾斜に沿って導かれる転落入賞口７７とを含んで構成されている。
【００９７】
なお、その他の特に言及しない部分は、実施例１に係る役物装置１５の対応する部分と同様に構成されているので、対応部分に同一符号を付してそれらの詳しい説明を割愛する。
【００９８】
このような実施例２に係る役物装置１５では、移動式転落入賞筒７４を役物装置１５内で左右に移動させ、タイミングが合うと可動羽根５２ａ，５２ｂを伝わり、あるいは伝わることなしに可動羽根入賞口５１ａ，５１ｂから役物装置１５内に入賞してきた玉が移動式転落入賞筒７４を通じて転落入賞口７７に入ってしまい、確変状態が終了してしまうので、実施例１に係る役物装置１５と同様に、遊技者は移動式転落入賞筒７４に玉が入らないように、タイミングを見計らって玉を左右に打ち分けることになる。
【００９９】
実施例２に係る役物装置１５およびそれを配設するパチンコ遊技機１においても、実施例１に係る役物装置１５およびそれを配設するパチンコ遊技機１と同様の作用および効果が得られることはいうまでもない。
【０１００】
ところで、上記実施例１および２に限らず、本発明の役物装置１５を利用して、以下のような遊技者の興趣を高める様々な遊技性を備えたパチンコ遊技機１の変形例を考えることができる。
【０１０１】
実施例１および２では、非確変大当たり図柄の大当たり終了後は時短状態になり、特図の変動が１００回終了するまで継続するようにしたが、時短中に転落入賞を検知したときは時短状態を終了して通常状態に転落するようにしてもよい。
【０１０２】
また、実施例１および２では、通常状態で転落入賞を検知したときの処理については何も述べなかったが、通常状態で転落入賞を検知したときは、確変状態あるいは時短状態に昇格するようにしてもよい。
【０１０３】
以上、本発明の各実施例を説明したが、これらはあくまでも例示にすぎず、本発明はこれらに限定されるものではなく、特許請求の範囲の趣旨を逸脱しない限りにおいて、当業者の知識に基づく種々の変更が可能である。
【図面の簡単な説明】
【０１０４】
【図１】本発明の実施例１に係るパチンコ遊技機の正面模式図。
【図２】図１中の遊技盤を拡大して示す図。
【図３】本発明の実施例１に係る役物装置の可動羽根閉鎖時の正面図。
【図４】本発明の実施例１に係る役物装置の可動羽根開放時の正面図。
【図５】図３の役物装置のＡ−Ａ線断面図。
【図６】本発明の実施例１に係る役物装置の斜視図。
【図７】図６中の右の玉誘導部を拡大して示す図。
【図８】図６中の回転体の斜視図。
【図９】図６中の回転体の上面図。
【図１０】図９の回転体のＢ−Ｂ線断面図。
【図１１】図９の回転体のＣ−Ｃ線断面図。
【図１２】図２中の普図表示部を拡大して示す図。
【図１３】図２中の特図表示部を拡大して示す図。
【図１４】本実施例１に係るパチンコ遊技機の回路ブロック図。
【図１５】本実施例１に係るパチンコ遊技機におけるゲート通過検知処理を示すフローチャート。
【図１６】本実施例１に係るパチンコ遊技機における普図保留読出処理を示すフローチャート。
【図１７】本実施例１に係るパチンコ遊技機における普図変動処理を示すフローチャート。
【図１８】本実施例１に係るパチンコ遊技機における始動入賞検知処理を示すフローチャート。
【図１９】本実施例１に係るパチンコ遊技機における特図保留読出処理を示すフローチャート。
【図２０】本実施例１に係るパチンコ遊技機における特図変動処理を示すフローチャート。
【図２１】本実施例１に係るパチンコ遊技機における大当たり処理を示すフローチャート。
【図２２】本実施例１に係るパチンコ遊技機における確変転落処理を示すフローチャート。
【図２３】本発明の実施例２に係る役物装置の斜視図。
【符号の説明】
【０１０５】
１  パチンコ遊技機
２  前面扉
３  遊技盤
５  玉供給皿
６  ハンドル
１０  液晶表示装置
１１  通過ゲート
１２  第１始動入賞口
１３  大入賞装置
１５  役物装置
１６  普図表示部
１８  特図表示部
５１  役物筐体
５１ａ，５１ｂ  可動羽根入賞口（第１入賞口及び第２入賞口）
５２ａ，５２ｂ  可動羽根
５３ａ，５３ｂ  玉誘導部
５４  回転体（玉振分部）
５４ａ  円盤部
５４ｂ  軸部
５４ｃ  円周壁
５４ｄ  通過孔
５４ｅ  転落孔
５４ｆ  ギア
５５  前方玉通路
５６  第２始動入賞口
５７  転落玉通路
５８  転落入賞検出器（第１検出手段）
６０  モータ
７４  移動式転落入賞筒（玉振分部）
７７  転落入賞口
１００  主制御基板
１０１  表示制御基板
１０８  払出装置
１０７  払出制御基板
１０９  発射制御基板
１１０  発射装置
１１１  ゲート通過検出器
１１２  第１始動入賞検出器
１１３  第２始動入賞検出器（第２検出手段）
１１４  大入賞検出器
１１６  電チューソレノイド
１１７  大入賞ソレノイド
【図１】
2007209398.tif 000005
【図２】
2007209398.tif 000006
【図３】
2007209398.tif 000007
【図４】
2007209398.tif 000008
【図５】
2007209398.tif 000009
【図６】
2007209398.tif 000010
【図７】
2007209398.tif 000011
【図８】
2007209398.tif 000012
【図９】
2007209398.tif 000013
【図１０】
2007209398.tif 000014
【図１１】
2007209398.tif 000015
【図１２】
2007209398.tif 000016
【図１３】
2007209398.tif 000017
【図１４】
2007209398.tif 000018
【図１５】
2007209398.tif 000019
【図１６】
2007209398.tif 000020
【図１７】
2007209398.tif 000021
【図１８】
2007209398.tif 000022
【図１９】
2007209398.tif 000023
【図２０】
2007209398.tif 000024
【図２１】
2007209398.tif 000025
【図２２】
2007209398.tif 000026
【図２３】
2007209398.tif 000027